(57)【要約】【課題】消費電力量を低減させて省エネルギー化を図ること。【解決手段】前方部分に前面開口１０ａを有し、前面開口１０ａが扉体３０により開閉される本体部１０と、前面開口１０ａを臨む態様で本体部１０の内部に画成された収納室１１と、収納室１１の前方下部に開口する吸込口１５と収納室１１の前方上部に開口する吹出口１６とを通じて収納室１１と連通する態様で、本体部１０の内部に形成された空気通路１２と、吸込口１５を通じて空気通路１２に空気が吸い込まれるとともに空気通路１２を通過した空気が吹出口１６より収納室１１に吹き出される態様で、収納室１１と空気通路１２との間で空気を循環させる循環ファン６０と、循環ファン６０により循環させられる空気を冷却する蒸発器７０とを備えたショーケースにおいて、扉体３０の戸当たり部を構成するフレーム４０が前面開口１０ａを構成する断熱性の開口縁部の前面に設けられている。【選択図】図４
2019080797.tif 000002
【特許請求の範囲】
【請求項１】
前方部分に前面開口を有し、該前面開口が扉体により開閉される本体部と、
前記前面開口を臨む態様で前記本体部の内部に画成された収納室と、
前記収納室の前方下部に開口する吸込口と該収納室の前方上部に開口する吹出口とを通じて該収納室と連通する態様で、前記本体部の内部に形成された空気通路と、
前記吸込口を通じて前記空気通路に空気が吸い込まれるとともに該空気通路を通過した空気が前記吹出口より前記収納室に吹き出される態様で、前記収納室と前記空気通路との間で空気を循環させる循環手段と、
前記循環手段により循環させられる空気を冷却する冷却手段と
を備え、前記収納室に収納された商品を所望の温度状態に保持するショーケースにおいて、
前記扉体の戸当たり部を構成するフレームが前記前面開口を構成する断熱性の開口縁部の前面に設けられたことを特徴とするショーケース。
【請求項２】
前記本体部は、前面に前記前面開口が形成された断熱性の箱体であり、
前記フレームは、前記本体部における前記前面開口の開口縁部の前面に設けられたことを特徴とする請求項１に記載のショーケース。
【請求項３】
前記吹出口から吹き出されて前記吸込口に吸い込まれる空気により形成されるエアカーテンを確保しつつ、前記収納室の内部を照らす照明手段を備えたことを特徴とする請求項１又は請求項２に記載のショーケース。
【請求項４】
前記照明手段は、
前記前面開口の互いに対向する開口縁部間において上下方向に沿って延在する態様で設けられた柱状部材と、
前記柱状部材の左右の両側面の少なくとも一方に設けられ、かつ光を射出する光源部材と
を備えたことを特徴とする請求項３に記載のショーケース。
【発明の詳細な説明】
【技術分野】
【０００１】
本発明は、ショーケースに関し、より詳細には、収納された商品を所望の温度状態に保持するショーケースに関するものである。
【背景技術】
【０００２】
従来、収納された商品を所望の温度状態に保持するショーケースとして、本体部、収納室及び空気通路を備えたものが知られている。本体部は、前面に前面扉により開閉される前面開口が形成された直方状の断熱箱体である。
【０００３】
収納室は、本体部の内部において前面開口を臨む態様で画成された室であり、上下方向に沿って複数段の商品載置棚が設けられている。この商品載置棚は、商品を載置して陳列するものである。
【０００４】
空気通路は、収納室の前方下部に開口する吸込口と該収納室の前方上部に開口する吹出口とを通じて該収納室と連通する態様で、本体部の内部に形成されている。この空気通路には循環ファン及び蒸発器が設けられている。
【０００５】
そのようなショーケースにおいては、循環ファンが駆動することにより、収納室の内部の空気が次のように循環する。収納室の内部の空気が吸込口を通じて空気通路に吸い込まれ、この空気通路を通過中に蒸発器により冷却される。冷却された空気は、吹出口を通じて収納室に吹き出され、吸込口に吸い込まれて循環する。そして、吹出口から吹き出された空気が吸込口に吸い込まれることにより、収納室の前面、すなわち前面扉により閉塞された前面開口近傍に冷気のエアカーテンが形成され、商品載置棚に載置された商品が所望の温度に調整される。
【０００６】
かかるショーケースでは、前面扉のスライド移動をガイドするとともに戸当たり部を構成する四周枠組みされたフレームが前面開口の開口縁部に設けられている（例えば、特許文献１参照）。
【先行技術文献】
【特許文献】
【０００７】
【特許文献１】特開２０１４−１５１１１３号公報
【発明の概要】
【発明が解決しようとする課題】
【０００８】
ところで、上述した特許文献１に提案されているショーケースでは、フレームが開口縁部に設けられているので、該フレームは一部が収納室を臨むよう配置されている。特に、フレームのうち前面開口の開口上縁部に設けられた部分は、吹出口の近傍に設けられている。そのため、吹出口から吹き出される空気（冷気）が該部分に直接当たることによりフレーム自体に温度ムラが生じてしまい、局部的に低温となる個所が生じてしまう。このようにフレームに局部的に低温となる個所が生じてしまうため、フレームに結露が生ずることを防止するために設けられる防露ヒータは、該個所に合わせた容量のものが必要となり、容量が過大となって消費電力量の増大化を招来していた。
【０００９】
本発明は、上記実情に鑑みて、消費電力量を低減させて省エネルギー化を図ることができるショーケースを提供することを目的とする。
【課題を解決するための手段】
【００１０】
上記目的を達成するために、本発明に係るショーケースは、前方部分に前面開口を有し、該前面開口が扉体により開閉される本体部と、前記前面開口を臨む態様で前記本体部の内部に画成された収納室と、前記収納室の前方下部に開口する吸込口と該収納室の前方上部に開口する吹出口とを通じて該収納室と連通する態様で、前記本体部の内部に形成された空気通路と、前記吸込口を通じて前記空気通路に空気が吸い込まれるとともに該空気通路を通過した空気が前記吹出口より前記収納室に吹き出される態様で、前記収納室と前記空気通路との間で空気を循環させる循環手段と、前記循環手段により循環させられる空気を冷却する冷却手段とを備え、前記収納室に収納された商品を所望の温度状態に保持するショーケースにおいて、前記扉体の戸当たり部を構成するフレームが前記前面開口を構成する断熱性の開口縁部の前面に設けられたことを特徴とする。
【００１１】
また本発明は、上記ショーケースにおいて、前記本体部は、前面に前記前面開口が形成された断熱性の箱体であり、前記フレームは、前記本体部における前記前面開口の開口縁部の前面に設けられたことを特徴とする。
【００１２】
また本発明は、上記ショーケースにおいて、前記吹出口から吹き出されて前記吸込口に吸い込まれる空気により形成されるエアカーテンを確保しつつ、前記収納室の内部を照らす照明手段を備えたことを特徴とする。
【００１３】
また本発明は、上記ショーケースにおいて、前記照明手段は、前記前面開口の互いに対向する開口縁部間において上下方向に沿って延在する態様で設けられた柱状部材と、前記柱状部材の左右の両側面の少なくとも一方に設けられ、かつ光を射出する光源部材とを備えたことを特徴とする。
【発明の効果】
【００１４】
本発明によれば、扉体の戸当たり部を構成するフレームが前面開口を構成する断熱性の開口縁部の前面に設けられているので、吹出口から吹き出される空気が該フレームに直接当たらなくなり、フレーム自体に温度ムラが生じ難くなって局部的に低温となる個所が発生しない。そのため、フレームに結露が生ずることを防止するために設置される防露ヒータの容量の低減化を図ることができる。従って、消費電力量を低減させて省エネルギー化を図ることができるという効果を奏する。
【図面の簡単な説明】
【００１５】
【図１】図１は、本発明の実施の形態であるショーケースを示す正面図である。
【図２】図２は、本発明の実施の形態であるショーケースを示す斜視図である。
【図３】図３は、本発明の実施の形態であるショーケースを示す斜視図である。
【図４】図４は、本発明の実施の形態であるショーケースの内部構造を模式的に示すもので、図１におけるＡ−Ａ線断面図である。
【図５】図５は、図３及び図４に示したフレームを示す斜視図である。
【図６】図６は、図５に示したフレームの要部を拡大して示す斜視図である。
【図７】図７は、図５に示したフレームの要部を拡大して示す断面平面図である。
【図８】図８は、本体部の前面開口近傍における空気の流れを示す説明図である。
【発明を実施するための形態】
【００１６】
以下に添付図面を参照して、本発明に係るショーケースの好適な実施の形態について詳細に説明する。
【００１７】
図１〜図４は、それぞれ本発明の実施の形態であるショーケースを示すものであり、図１は正面図であり、図２及び図３は斜視図であり、図４は内部構造を模式的に示すもので、図１におけるＡ−Ａ線断面図である。
【００１８】
ここで例示するショーケースは、例えばスーパーマーケットやコンビニエンスストア等の店舗に設置されるもので、ケース本体１を備えている。ケース本体１は、本体部１０と外装部２０とを備えて構成してある。
【００１９】
本体部１０は、前面に開口（以下、前面開口ともいう）１０ａが形成された略直方状の断熱性の箱体である。外装部２０は、複数の金属製のパネル２１〜２５が組み合わされて構成してあり、本体部１０を囲繞する態様で設けてある。
【００２０】
より詳細に説明すると、外装部２０は、側面パネル２１と、後面パネル２２と、底面パネル２３と、天面パネル２４と、前面パネル２５とが組み合わされて構成してある。
【００２１】
側面パネル２１は、左右一対のものであり、本体部１０の側面を覆う態様で設けてある。これら側面パネル２１は、上端部が本体部１０の上面より上方に配置され、下端部が本体部１０の下面より下方に配置され、後端部が本体部１０の後面より後方に配置されている。
【００２２】
後面パネル２２は、本体部１０の後面に対向しつつ該後面から離隔した状態で、側面パネル２１の後端部同士を連結する態様で設けてある。
【００２３】
底面パネル２３は、本体部１０の下面に対向しつつ該下面から離隔した状態で、側面パネル２１の下端部同士を連結する態様で設けてある。この底面パネル２３には、複数（図示の例では３つ）の脚部２３１が設けてある。天面パネル２４は、本体部１０の上面に対向しつつ該上面から離隔した状態で側面パネル２１間に架設してある。
【００２４】
前面パネル２５は、上下に２つ設けてある。上側の前面パネル２５（以下、上側前面パネル２５ａともいう）は、側面パネル２１の前端部の上部同士を連結する態様で設けてある。この上側前面パネル２５ａは、本体部１０の前面の一部を覆っており、下面２５１が前面開口１０ａよりも上方側に位置している。下側の前面パネル２５（以下、下側前面パネル２５ｂともいう）は、側面パネル２１の前端部の下部同士を連結する態様で設けてある。この下側前面パネル２５ｂは、本体部１０の前面の一部を覆っており、上面２５２が前面開口１０ａよりも下方側に位置している。この下側前面パネル２５ｂ、側面パネル２１及び後面パネル２２により、本体部１０の下面との間に機械室２が形成されている。また下側前面パネル２５ｂには、機械室２に外気を導入するための導入孔２５３が形成されている。
【００２５】
そのような構成を有する外装部２０は、扉体３０を有している。扉体３０は、２つの前面扉３１，３２を備えている。左側の前面扉３１は、本体部１０の前面開口１０ａの左側半分を覆うのに十分な大きさを有した断熱扉である。この左側の前面扉３１は、上側前面パネル２５ａにおける下面２５１の左側端部と、下側前面パネル２５ｂにおける上面２５２の左側端部にヒンジ機構３３を介して右端部が自由端となる態様で前後方向に揺動可能に設けてある。
【００２６】
この左側の前面扉３１は、揺動することにより前面開口１０ａの左側半分を開閉するものであり、より詳細に説明すると、前方に向けて揺動することにより前面開口１０ａの左側半分を開放する一方、後方に向けて揺動することにより前面開口１０ａの左側半分を閉塞するものである。
【００２７】
また、左側の前面扉３１には、矩形状の開口３１ａが形成されるとともに、この矩形状の開口３１ａを閉塞する態様で断熱性ガラスの板材３１ｂが嵌め込まれることにより窓部が設けてある。よって、かかる窓部を通じて外部より本体部１０の内部が視認可能である。
【００２８】
右側の前面扉３２は、本体部１０の前面開口１０ａの右側半分を覆うのに十分な大きさを有した断熱扉である。この右側の前面扉３２は、上側前面パネル２５ａにおける下面２５１の中央部と、下側前面パネル２５ｂにおける上面２５２の中央部にヒンジ機構３４を介して右端部が自由端となる態様で前後方向に揺動可能に設けてある。
【００２９】
この右側の前面扉３２は、揺動することにより前面開口１０ａの右側半分を開閉するものであり、より詳細に説明すると、前方に向けて揺動することにより前面開口１０ａの右側半分を開放する一方、後方に向けて揺動することにより前面開口１０ａの右側半分を閉塞するものである。
【００３０】
また、右側の前面扉３２には、矩形状の開口３２ａが形成されるとともに、この矩形状の開口３２ａを閉塞する態様で断熱性ガラスの板材３２ｂが嵌め込まれることにより窓部が設けてある。よって、かかる窓部を通じて外部より本体部１０の内部が視認可能である。
【００３１】
上記本体部１０は、収納室１１、空気通路１２、フレーム４０及び柱状部材５０が設けてある。収納室１１は、前面開口１０ａを臨む態様で本体部１０の内部に画成された室である。この収納室１１には、複数（図示の例では７つ）の商品載置棚１３が上下方向に沿って複数段設けてある。これら商品載置棚１３は、従来公知のものであり、収納室１１の背面に立設された棚支柱１１ａに取り付けられた左右一対のブラケット１４に支持されるもので、これら左右一対のブラケット１４間に図示せぬスライダを介して棚板１３ａが架設されて構成してある。かかる商品載置棚１３は、棚板１３ａの上面に商品を載置して陳列するものである。尚、スライダは、棚板１３ａをブラケット１４に対して前後方向に沿ってスライド可能に支持するものである。
【００３２】
このような収納室１１には、その前方下部に開口する吸込口１５が形成してあるとともに、その前方上部に開口する吹出口１６が形成してある。吸込口１５は、収納室１１の内部の空気を吸い込むための開口である。吹出口１６は、収納室１１の内部に空気を吹き出すための開口である。
【００３３】
空気通路１２は、本体部１０の内部であって収納室１１の外部に形成されており、吸込口１５から吹出口１６に至る空気の通路である。この空気通路１２は、吸込口１５及び吹出口１６を通じて収納室１１に連通している。
【００３４】
このような空気通路１２は、収納室１１の外部であってその下方にある下方ダクト１２ａと、収納室１１の外部であってその後方側にある後方ダクト１２ｂと、収納室１１の外部であってその上方にある上方ダクト１２ｃとを備え、これら下方ダクト１２ａ、後方ダクト１２ｂ及び上方ダクト１２ｃが互いに連通して構成してある。
【００３５】
かかる空気通路１２には、循環ファン（循環手段）６０及び蒸発器（冷却手段）７０が設置してある。循環ファン６０は、下方ダクト１２ａと後方ダクト１２ｂとの連通部分に設置してある。この循環ファン６０は、駆動指令が与えられることにより駆動するものであり、駆動する場合に、収納室１１の内部の空気を該収納室１１と空気通路１２との間で循環させるものである。尚、本実施の形態では、循環ファン６０は、下方ダクト１２ａと後方ダクト１２ｂとの連通部分に設置してあるが、本発明では、循環ファン６０の設置個所は特に限定されるものではなく、後述するように循環ファン６０の機能を発揮することができればどの個所に設置してもよい。
【００３６】
蒸発器７０は、上方ダクト１２ｃ、すなわち空気通路１２において循環ファン６０よりも吹出口１６に近接する個所に設置してある。この蒸発器７０は、機械室２に設置された圧縮機７１、凝縮器７２及び膨張機構７３と冷媒管路で接続されて冷媒を循環させる冷凍サイクルを構成している。圧縮機７１は、冷媒を圧縮するものであり、凝縮器７２は、圧縮機７１で圧縮された冷媒を凝縮させて放熱させるものである。膨張機構７３は、凝縮器７２で凝縮した冷媒を断熱膨張させて低温低圧の状態にさせるものである。
【００３７】
上記ショーケースにおいては、循環ファン６０が駆動することにより、収納室１１の内部の空気が吸込口１５を通じて空気通路１２に吸い込まれて空気通路１２を通過し、吹出口１６を通じて収納室１１に吹き出される。つまり、循環ファン６０は、吸込口１５を通じて収納室１１の内部の空気が空気通路１２に吸い込まれるとともに空気通路１２を通過した空気が吹出口１６より収納室１１に吹き出される態様で、収納室１１と空気通路１２との間で空気を循環させるものである。
【００３８】
蒸発器７０は、循環ファン６０が駆動することにより空気通路１２の上方ダクト１２ｃを通過する空気と、膨張機構７３で低温低圧の状態にされた冷媒とを熱交換させるもの、より詳細には、低温低圧の冷媒を蒸発させることにより上方ダクト１２ｃを通過する空気を冷却するものである。この蒸発器７０で蒸発した冷媒は、圧縮機７１に吸引されて冷凍サイクルを循環することになる。
【００３９】
図５は、図３及び図４に示したフレーム４０を示す斜視図である。この図５にも示すように、フレーム４０は、上枠４１、下枠４２及び左右一対の縦枠４３，４４を四周枠組みすることによって構成された矩形状を成している。このフレーム４０には、上枠４１の長手方向の中央部分と、下枠４２の長手方向の中央部分とを連結する態様で上下方向に沿って延在する仕切枠４５が設けてある。この仕切枠４５は、上枠４１、下枠４２及び縦枠４３，４４を四周枠組みすることによって形成された矩形開口４６を左右に均等に２分割している。
【００４０】
このようなフレーム４０は、各枠４１等が本体部１０における前面開口１０ａの開口縁部の前面に取り付けてある。すなわち、上枠４１は、本体部１０における前面開口１０ａの開口上縁部１７ａの前面に取り付けてあり、下枠４２は、本体部１０の前面開口１０ａの開口下縁部１７ｂの前面に取り付けてある。また図には明示していないが、左側の縦枠４３は、本体部１０における前面開口１０ａの開口左側縁部の前面に取り付けてあり、右側の縦枠４４は、本体部１０における前面開口１０ａの開口右側縁部の前面に取り付けてある。
【００４１】
かかるフレーム４０は、各枠４１等の前面に例えば軟質樹脂製の当接材が敷設されることで上記前面開口１０ａを閉塞する扉体３０に当接する当接面を形成しており、扉体３０の戸当たり部を構成している。つまり、左側の前面扉３１が前面開口１０ａの左側半分を閉塞する場合、上枠４１の前面の左側半分、下枠４２の前面の左側半分、左側の縦枠４３の前面、並びに仕切枠４５の前面の左側半分が左側の前面扉３１に当接する。また右側の前面扉３２が前面開口１０ａの右側半分を閉塞する場合、上枠４１の前面の右側半分、下枠４２の前面の右側半分、右側の縦枠４４の前面、並びに仕切枠４５の前面の右側半分が右側の前面扉３２に当接する。
【００４２】
柱状部材５０は、例えば板金等により形成されるもので上下方向が長手方向となる長尺状のものである。この柱状部材５０は、図６及び図７に示すように、仕切枠４５の後部にネジＮ等で締結されて取り付けてある。より詳細に説明すると、柱状部材５０は、仕切枠４５の後部に取り付けられることで、本体部１０の前面開口１０ａの互いに対向する開口縁部間、すなわち開口上縁部１７ａと開口下縁部１７ｂとの間において上下方向に沿って延在する態様で設けてある。この柱状部材５０の左右両側面には、光源部材５１が支持部材５２に支持されて設けてある。光源部材５１は、上下方向が長手方向となる長尺状部材であり、内部に複数のＬＥＤが長手方向に沿って所定間隔毎に配置されている。かかる光源部材５１は、ＬＥＤが点灯することにより光を射出するものである。
【００４３】
以上のような構成を有する本実施の形態のショーケースにおいては、圧縮機７１が駆動するとともに循環ファン６０が駆動することにより、収納室１１の内部の空気が次のように循環する。
【００４４】
吸込口１５を通じて空気通路１２の下方ダクト１２ａに吸い込まれた空気は、該下方ダクト１２ａを通過した後に後方ダクト１２ｂを通過する。この後方ダクト１２ｂを通過した空気は、上方ダクト１２ｃに至り、該上方ダクト１２ｃの通過途中で蒸発器７０に冷却される。蒸発器７０で冷却された空気は、上方ダクト１２ｃを通過した後に吹出口１６を通じて収納室１１に吹き出される。この吹出口１６より吹き出された空気は、各商品載置棚１３の前方域を下方に向けて通過し、吸込口１５より空気通路１２に吸い込まれることにより、収納室１１と空気通路１２とを循環する。
【００４５】
これにより図８に示すように、収納室１１の前面開口１０ａ近傍には蒸発器７０で冷却された空気によるエアカーテンＡＣが形成される。このようにして形成されたエアカーテンＡＣと、前面開口１０ａを閉塞する扉体３０により、前面開口１０ａを通じての外気の侵入を抑制し、各商品載置棚１３に陳列された商品が所望の温度に冷却される。
【００４６】
そして、本実施の形態であるショーケースによれば、フレーム４０の構成要素である各枠４１等が断熱性の箱体である本体部１０における前面開口１０ａの開口縁部の前面に設けてあるので、吹出口１６から吹き出される空気（冷気）が該フレーム４０に直接当たらなくなり、フレーム４０自体に温度ムラが生じ難くなって局部的に低温となる個所が発生しない。そのため、フレーム４０に結露が生ずることを防止するために設置される防露ヒータ（図示せず）の容量の低減化を図ることができる。従って、消費電力量を低減させて省エネルギー化を図ることができる。
【００４７】
上記ショーケースによれば、左右両側面に光源部材５１が取り付けられた柱状部材５０が、本体部１０の前面開口１０ａの互いに対向する開口縁部間、すなわち開口上縁部１７ａと開口下縁部１７ｂとの間において上下方向に沿って延在する態様で設けてあるので、吹出口１６から吹き出された空気（冷気）の流れを阻害せず、エアカーテンＡＣを良好に形成することができ、しかも収納室１１の内部を照らすことができる。つまり、吹出口１６から吹き出されて吸込口１５に吸い込まれる空気により形成されるエアカーテンＡＣを確保しつつ、収納室１１の内部を照らすことができる。従って、前面開口１０ａが開放された際の外気侵入量を低減させて、内部の着霜を抑制することができる。
【００４８】
以上、本発明の実施の形態について説明したが、本発明はこれに限定されるものではなく、種々の変更を行うことができる。
【００４９】
上述した実施の形態では、柱状部材５０は、フレーム４０を構成する仕切枠４５の後部に取り付けられていたが、本発明においては、柱状部材は、仕切枠に取り付けられている必要はなく、本体部の前面開口の互いに対向する開口縁部間において上下方向に沿って延在する態様で設けられていればどのように支持されていてもよい。
【００５０】
上述した実施の形態では、断熱性の箱体である本体部１０における前面開口１０ａの開口縁部の前面にフレーム４０の構成要素である各枠４１等が設けてあったが、本発明においては、フレームは本体部の前面に設けてある必要はなく、前面開口を構成する断熱性の開口縁部の前面に設けられていればよい。つまり、開口縁部を形成する断熱性部材が本体部に取り付けられている場合、フレームは該断熱性部材に設けられていればよい。
【００５１】
上述した実施の形態では、柱状部材５０が本体部１０の前面開口１０ａの互いに対向する開口縁部間において上下方向に沿って延在する態様で設けられ、光源部材５１が柱状部材５０の左右両側面に取り付けられることにより、エアカーテンＡＣを確保しつつ、収納室１１の内部を照らす照明手段を構成していた。しかしながら、本発明においては、照明手段は、吹出口から吹き出されて吸込口に吸い込まれる空気により形成されるエアカーテンを確保しつつ、収納室の内部を照らすことができれば、前面開口の互いに対向する開口縁部間に設けられている必要はなく、形成されるエアカーテンよりも後方となる収納室の内部に設けられていてもよい。
【符号の説明】
【００５２】
１  ケース本体
１０  本体部
１０ａ  前面開口
１１  収納室
１２  空気通路
１３  商品載置棚
１５  吸込口
１６  吹出口
２０  外装部
３０  扉体
３１  前面扉
３２  前面扉
４０  フレーム
４１  上枠
４２  下枠
４３  縦枠
４４  縦枠
４５  仕切枠
５０  柱状部材
５１  光源部材
６０  循環ファン
７０  蒸発器
ＡＣ  エアカーテン
【図１】
2019080797.tif 000003
【図２】
2019080797.tif 000004
【図３】
2019080797.tif 000005
【図４】
2019080797.tif 000006
【図５】
2019080797.tif 000007
【図６】
2019080797.tif 000008
【図７】
2019080797.tif 000009
【図８】
2019080797.tif 000010